(57)【要約】【課題】患者は、自己の健康状態に適すると思われる宿泊施設を予約することができ、温泉療養中であっても指導者から専門的な健康指導を受けることができる温泉療養サポートシステムを提供することを目的とする。【解決手段】温泉療養サポートシステム１は、サーバ２と患者用コンピュータ３と宿泊施設用コンピュータ４と指導者用コンピュータ６とを備える。サーバ２は、患者から滞在予約がなされたことに応じて、患者の健康状態を含むが患者の氏名や連絡先を含まないデータを宿泊施設用コンピュータ４に送信する。これにより、患者は、自己の氏名や連絡先を宿泊施設に知られることなく、宿泊施設の予約を行うことができる。また、宿泊施設用コンピュータ４及び指導者用コンピュータ６は、映像データ及び音声データによって通信を行うことにより、温泉療養中の患者は、指導者から専門的な健康指導を受けることができる。【選択図】図１
2011065209.tif 000002
【特許請求の範囲】
【請求項１】
電気通信回線を介して互いに接続される少なくとも４台のコンピュータを備えた温泉療養サポートシステムにおいて、
サーバと、患者に使用される患者用コンピュータと、宿泊施設に設置される宿泊施設用コンピュータと、患者に対して健康指導を行う指導者に使用される指導者用コンピュータと、を備え、
前記サーバは、データを記憶する記憶部を備え、
前記患者用コンピュータは、データ又は命令が入力される患者用入力部を備え、
前記宿泊施設用コンピュータは、データ又は命令が入力される宿泊施設用入力部と、映像データが入力される宿泊施設用カメラ部と、音声データが入力される宿泊施設用マイク部と、音声を出力する宿泊施設用スピーカ部と、映像データが出力される宿泊施設用モニタとを備え、
前記指導者用コンピュータは、データ又は命令が入力される指導者用入力部と、映像データが入力される指導者用カメラ部と、音声データが入力される指導者用マイク部と、音声データが出力される指導者用スピーカ部と、映像データが表示される指導者用モニタとを備え、
前記記憶部は、
患者についての患者コード、氏名、連絡先、性別、年齢、及び健康状態を関連付けて保持する患者データと、宿泊施設についての宿泊施設コード、名称、及び連絡先とを関連付けて保持する宿泊施設データと、指導者についての指導者コード、氏名、及び連絡先を関連付けて保持する指導者データと、を保持するユーザデータベースと、
前記患者コードと、前記指導者コードと、前記宿泊施設コードと、患者が宿泊施設に滞在する期間を示す滞在期間と、前記宿泊施設用コンピュータと前記指導者用コンピュータとが互いに映像データ又は音声データを送受信する日時を示す通信日時と、を関連付けて保持する予約データベースと、を記憶し、
前記患者用コンピュータは、
予約データとして、前記患者コード、前記指導者コード、前記宿泊施設コード、及び前記滞在期間が前記患者用入力部に入力されたことに応じて、該予約データを前記サーバに送信し、
前記サーバは、
前記予約データを受信したことに応じて、前記ユーザデータベースを参照し、受信した前記患者コードに関連付けられた患者についての前記性別、前記年齢、及び前記健康状態を抽出し、
前記宿泊施設用コンピュータに、該性別、該年齢、該健康状態、及び前記滞在期間を送信し、
前記宿泊施設用コンピュータは、
前記サーバから受信した前記性別、前記年齢、前記健康状態、及び前記滞在期間に基づいて、患者の滞在の可否を示す結果データを該サーバに送信し、
前記サーバは、
受信した前記結果データが否であるとき、
前記患者用コンピュータに滞在不可であることを示すデータを送信し、
受信した予約結果データが可であるとき、
前記指導者用コンピュータに前記患者コード、前記宿泊施設コード、及び前記滞在期間を送信し、
前記指導者用コンピュータは、
前記サーバから前記患者コード、前記宿泊施設コード、及び前記滞在期間を受信したことに応じて、前記通信日時を前記サーバに送信し、
前記サーバは、
前記指導者用コンピュータから前記通信日時を受信したことに応じて、該通信日時を前記予約データベースに記録し、前記患者用コンピュータに滞在可であることを示すデータと該通信日時を送信することを特徴とした温泉療養サポートシステム。
【請求項２】
前記記憶部は、前記患者コードと、日付と、宿泊施設に滞在している患者についての体重、血圧、及び体温とを関連付けて記憶するメディカルデータベースをさらに記憶し、
前記宿泊施設用コンピュータは、前記宿泊施設用入力手段に、前記日付、前記体重、前記血圧、及び前記体温が入力されたことに応じて、前記患者コード、該日付、該体重、該血圧、及び該体温を前記サーバに送信し、
前記サーバは、受信した前記患者コード、前記日付、前記体重、前記血圧、及び前記体温を前記メディカルデータベースに記録し、
前記指導者用コンピュータは、前記メディカルデータベースにアクセスすることにより、前記患者コード、前記日付、前記体重、前記血圧、又は前記体温を前記指導者用モニタに表示させ、
前記宿泊施設用コンピュータ及び前記指導者用コンピュータは、前記ユーザデータベースに保持される前記通信日時が到来したことに応じて、映像データ又は音声データを送受信することを特徴とした請求項１に記載の温泉療養サポートシステム。
【発明の詳細な説明】
【技術分野】
【０００１】
本発明は、患者が温泉療養によって健康状態を改善するために滞在する宿泊施設の予約を行うことができ、宿泊施設に滞在しながら、映像又は音声によって主治医、鍼灸師、又は整体師などの専門家から健康指導を受けることができる温泉療養サポートシステムに関する。
【背景技術】
【０００２】
近年、ライフスタイルの変化が主要因となり生活習慣病などの慢性疾患が急増しているが、西洋医学のみによって、これらの健康状態に対処することは難しい状況となっている。このような状況を改善するために、西洋医学の良さを生かしつつもそれだけでは対処不可能な部分を温泉療養によって補完することにより、健康の維持及び促進を図ることが注目されている。そこで、湯治場、温泉保養地、又はリゾート地にある宿泊施設への滞在予約を行うシステムの需要が高まっている。また、患者は、温泉療養中に主治医、鍼灸師、又は整体師などの専門家から健康指導を受けることが健康状態の改善に有効であることが知られている。
【０００３】
宿泊施設を予約するシステムとして、部屋データベースと予約データベースを備えることにより、予約情報を一元化し、予約作業の負担を軽減することができる技術が知られている（例えば、特許文献１参照）。
【０００４】
しかしながら、特許文献１に示される技術においては、宿泊施設側の予約作業の負担を軽減するものであり、予約者側が自己の健康状態の改善に適すると思われる宿泊施設を予約できるものではなかった。また、宿泊施設に滞在中の患者が、主治医、鍼灸師、又は整体師などの専門家から健康指導を受ける手段を備えるものではなかった。
【先行技術文献】
【特許文献】
【０００５】
【特許文献１】特開２００１−２５０００５号公報
【発明の概要】
【発明が解決しようとする課題】
【０００６】
本発明は、上記の問題を解決するためになされたものであり、患者は、滞在期間及び自己の健康状態の改善に適すると思われる宿泊施設の予約を行うことができ、宿泊施設に滞在中であっても、患者が指定した主治医、鍼灸師、又は整体師などの専門家から映像又は音声による健康指導を受けることができる温泉療養サポートシステムを提供することを目的とする。
【課題を解決するための手段】
【０００７】
上記目的を達成するために請求項１の発明は、電気通信回線を介して互いに接続される少なくとも４台のコンピュータを備えた温泉療養サポートシステムにおいて、サーバと、患者に使用される患者用コンピュータと、宿泊施設に設置される宿泊施設用コンピュータと、患者に対して健康指導を行う指導者に使用される指導者用コンピュータと、を備え、サーバは、データを記憶する記憶部を備え、患者用コンピュータは、データ又は命令が入力される患者用入力部を備え、宿泊施設用コンピュータは、データ又は命令が入力される宿泊施設用入力部と、映像データが入力される宿泊施設用カメラ部と、音声データが入力される宿泊施設用マイク部と、音声を出力する宿泊施設用スピーカ部と、映像データが出力される宿泊施設用モニタとを備え、指導者用コンピュータは、データ又は命令が入力される指導者用入力部と、映像データが入力される指導者用カメラ部と、音声データが入力される指導者用マイク部と、音声データが出力される指導者用スピーカ部と、映像データが表示される指導者用モニタとを備え、記憶部は、患者についての患者コード、氏名、連絡先、性別、年齢、及び健康状態を関連付けて保持する患者データと、宿泊施設についての宿泊施設コード、名称、及び連絡先とを関連付けて保持する宿泊施設データと、指導者についての指導者コード、氏名、及び連絡先を関連付けて保持する指導者データと、を保持するユーザデータベースと、患者コードと、指導者コードと、宿泊施設コードと、患者が宿泊施設に滞在する期間を示す滞在期間と、宿泊施設用コンピュータと指導者用コンピュータとが互いに映像データ又は音声データを送受信する日時を示す通信日時と、を関連付けて保持する予約データベースと、を記憶し、患者用コンピュータは、予約データとして、患者コード、指導者コード、宿泊施設コード、及び滞在期間が患者用入力部に入力されたことに応じて、予約データをサーバに送信し、サーバは、予約データを受信したことに応じて、ユーザデータベースを参照し、受信した患者コードに関連付けられた患者についての性別、年齢、及び健康状態を抽出し、宿泊施設用コンピュータに、性別、年齢、健康状態、及び滞在期間を送信し、宿泊施設用コンピュータは、サーバから受信した性別、年齢、健康状態、及び滞在期間に基づいて、患者の滞在の可否を示す結果データをサーバに送信し、サーバは、受信した結果データが否であるとき、患者用コンピュータに滞在不可であることを示すデータを送信し、受信した予約結果データが可であるとき、指導者用コンピュータに患者コード、宿泊施設コード、及び滞在期間を送信し、指導者用コンピュータは、サーバから患者コード、宿泊施設コード、及び滞在期間を受信したことに応じて、通信日時をサーバに送信し、サーバは指導者用コンピュータから通信日時を受信したことに応じて、通信日時を予約データベースに記録し、患者用コンピュータに滞在可であることを示すデータと通信日時を送信するものである。
【０００８】
請求項２の発明は、請求項１に記載の発明において、記憶部は、患者コードと、日付と、宿泊施設に滞在している患者についての体重、血圧、及び体温とを関連付けて記憶するメディカルデータベースをさらに記憶し、宿泊施設用コンピュータは、宿泊施設用入力手段に、日付、体重、血圧、及び体温が入力されたことに応じて、患者コード、日付、体重、血圧、及び体温をサーバに送信し、サーバは、受信した患者コード、日付、体重、血圧、及び体温をメディカルデータベースに記録し、指導者用コンピュータは、メディカルデータベースにアクセスすることにより、患者コード、日付、体重、血圧、又は体温を指導者用モニタに表示させ、宿泊施設用コンピュータ及び指導者用コンピュータは、ユーザデータベースに保持される通信日時が到来したことに応じて、映像データ又は音声データを送受信するものである。
【発明の効果】
【０００９】
請求項１の発明によれば、患者が宿泊施設への滞在予約を行うために、患者用コンピュータに予約データを入力したことに応じて、サーバは、患者の性別、年齢、及び健康状態と、滞在期間とを宿泊施設用コンピュータに送信する。宿泊施設は、宿泊施設用コンピュータがサーバから受信したデータに基づいて、滞在予約の可否を決定する。患者は、自己の氏名や連絡先を宿泊施設に知られることなく宿泊施設の滞在予約を行うことができるため、個人情報の流出を防ぐことができる。また、宿泊施設は、滞在期間だけでなく、患者の性別、年齢、及び健康状態を考慮して滞在予約の可否を決定することができる。さらに、サーバは、患者用コンピュータに滞在の可であるデータを通知する際、合わせて通信日時を通知する。これにより、患者は、宿泊施設への滞在予約を行うだけで通信日時を決定することができる。
【００１０】
請求項２の発明によれば、患者及び指導者は、通信日時が到来すると、宿泊施設用コンピュータ及び指導者用コンピュータを用いて映像データ及び音声データによる通信を行う。これにより、温泉療養中の患者は、指導者から専門的な健康指導を受けることができる。また、指導者は、映像データ又は音声データに加え、患者のメディカルデータを参照することにより、温泉療養中の患者に対して的確なアドバイスを与えることができる。
【図面の簡単な説明】
【００１１】
【図１】本発明の実施形態に係る温泉療養サポートシステムの構成図。
【図２】上記温泉療養サポートシステムのサーバに保持されるユーザデータベースの構成図。
【図３】上記サーバに保持される予約データベースの構成図。
【図４】上記サーバに保持されるメディカルデータベースの構成図。
【図５】上記温泉療養サポートシステムにおける予約処理のフローチャート。
【図６】上記温泉療養サポートシステムにおける通信処理のフローチャート。
【発明を実施するための形態】
【００１２】
本発明の実施形態に係る温泉療養サポートシステムについて図面を参照して説明する。図１は本実施形態に係る温泉療養サポートシステム１の構成を示す。温泉療養サポートシステム１は、サーバ２と、患者に使用される患者用コンピュータ３と、宿泊施設に設置された宿泊施設用コンピュータ４及び５と、患者に対して健康指導を行う主治医、鍼灸師、又は整体師などの指導者に使用される指導者用コンピュータ６及び７とを備え、それぞれケーブルＬを介してインターネットＮ（電気通信回線）に接続されている。ここで、宿泊施設とは、湯治場、温泉保養地、又はリゾート地に設けられた旅館やホテルなどである。
【００１３】
サーバ２は、データ又は命令が入力されるキーボード２ａと、データを表示するモニタ２ｂと、データを送受信するためにインターネットＮに接続する接続装置２ｃと、サーバ２全体を制御するＣＰＵ２ｄと、データベース８乃至１０を記憶する記憶部２ｅとを備える。データベース８乃至１０は、患者、宿泊施設、及び指導者に関するデータを保持するユーザデータベース８と、患者が宿泊施設に滞在する予約状況に関するデータを保持する予約データベース９と、患者の健康状態に関するデータを保持するメディカルデータベース１０とで構成される。
【００１４】
患者用コンピュータ３は、データ又は命令が入力されるキーボード３ａ（患者用入力部）と、データを表示するモニタ３ｂと、データを送受信するためにインターネットＮに接続する接続装置３ｃと、患者用コンピュータ３全体を制御するＣＰＵ３ｄとを備える。患者は、キーボード３ａを介して患者用コンピュータ３に所定のデータを入力することにより、宿泊施設への滞在を予約する。ここで、患者用コンピュータ３は、患者コードとして「Ｐ００１」が割り当てられた患者に使用されるものとする。
【００１５】
宿泊施設用コンピュータ４は、データ又は命令が入力されるキーボード４ａ（宿泊施設用入力部）と、映像データを表示するモニタ４ｂ（宿泊施設用モニタ）と、データを送受信するためにインターネットＮに接続する接続装置４ｃと、宿泊施設用コンピュータ４全体を制御するＣＰＵ４ｄと、映像データが入力されるカメラ４ｅと、音声データが入力されるマイク４ｆと、音声データを出力するスピーカ４ｇとを備える。宿泊施設用コンピュータ５は、宿泊施設用コンピュータ４と同じ構成である。ここで、宿泊施設用コンピュータ４は、宿泊施設コードとして「Ｈ００１」が割り当てられた宿泊施設に設置され、宿泊施設用コンピュータ５は、宿泊施設コードとして「Ｈ００２」が割り当てられた宿泊施設に設置されているものとする。
【００１６】
指導者用コンピュータ６、データ又は命令が入力されるキーボード６ａ（指導者用入力部）と、映像データを表示するモニタ６ｂ（指導者用モニタ）と、データを送受信するためにインターネットＮに接続する接続装置６ｃと、指導者用コンピュータ６全体を制御するＣＰＵ６ｄと、映像データが入力されるカメラ６ｅと、音声データが入力されるマイク６ｆと、音声データを出力するスピーカ６ｇとを備える。指導者用コンピュータ７は、指導者用コンピュータ６と同じ構成である。ここで、指導者用コンピュータ６は、指導者コードとして「Ｉ００１」が割り当てられた医師に使用され、指導者用コンピュータ７は、指導者コードとして「Ｉ００２」が割り当てられた鍼灸師に使用されるものとする。
【００１７】
患者コード「Ｐ００１」が割り当てられた患者は、患者用コンピュータ３を用いて、例えば、宿泊施設「Ｈ００１」に滞在する予約を行う。その後、患者は、宿泊施設「Ｈ００１」に滞在しているときに、宿泊施設用コンピュータ４を用いて、例えば、指導者用コンピュータ６と映像データ及び音声データによる通信を行う。このとき、患者と指導者コード「Ｉ００１」が割り当てられた指導者は、それぞれ、モニタ４ｂ、カメラ４ｅ、マイク４ｆ、及びスピーカ４ｇと、モニタ６ｂ、カメラ６ｅ、マイク６ｆ、及びスピーカ６ｇとを用いて映像データ及び音声データによる通信を行う。これにより、患者は、宿泊施設において温泉療養を行いながら、必要に応じて自己の健康状態を把握している指導者からアドバイスを得ることができる。
【００１８】
図２はユーザデータベース８の構成を示す。ユーザデータベース８は、患者についてのデータを保持する患者テーブル８１と、宿泊施設についてのデータを保持する宿泊施設テーブル８２と、指導者についてのデータを保持する指導者テーブル８３とを有する。患者テーブル８１は、各患者に割り当てられた患者コードを記憶する患者コード項目８１ａと、患者の氏名を記憶する患者名項目８１ｂと、患者の住所、電話番号、又はメールアドレスなどを記憶する連絡先項目８１ｃと、患者の性別を記憶する性別項目８１ｄと、患者の年齢を記憶する年齢項目８１ｅと、患者の健康状態を記憶する健康状態項目８１ｆとを、それぞれ関連付けて保持する。
【００１９】
宿泊施設テーブル８２は、各宿泊施設に割り当てられた宿泊施設コードを記憶する宿泊施設コード項目８２ａと、宿泊施設の名称を記憶する宿泊施設名項目８２ｂと、宿泊施設の住所、電話番号、又はメールアドレスなどを記憶する連絡先項目８２ｃとを、それぞれ関連付けて保持する。指導者テーブル８３は、各指導者に割り当てられた指導者コードを記憶する指導者コード項目８３ａと、指導者の氏名を記憶する指導者名項目８３ｂと、指導者が勤務する病院や整骨院などの住所、電話番号、又はメールアドレスなどを記憶する連絡先項目８３ｃとを、それぞれ関連付けて保持する。ここで、患者テーブル８１、宿泊施設テーブル８２、及び指導者テーブル８３は、予めサーバ２にデータが入力されることにより作成されているものとする。
【００２０】
図３は予約データベース９の構成を示す。予約データベース９は、患者コード項目９ａと、指導者コード項目９ｂと、宿泊施設コード項目９ｃと、患者が宿泊施設に滞在する期間を記憶する滞在日項目９ｄと、健康状態項目９ｅと、宿泊施設に滞在中の患者が指導者と映像データ及び音声データによる通信を行う予定日時を記憶する通信日時項目９ｆとを、それぞれ関連付けて記憶する。例えば、予約データベース９は、患者コード「Ｐ００１」が割り当てられた患者が、宿泊施設コード「Ｈ００２」が割り当てられた宿泊施設に２００９年１０月２日から２００９年１０月２０日まで滞在することを示す。また、予約データベース９は、患者コード「Ｐ００１」が割り当てられた患者は、その健康状態がリウマチであり、指導者コード「Ｉ００１」が割り当てられた指導者と２００９年１０月５日の１５時から１５時１５分まで映像データ及び音声データによる通信を行うことを示す。
【００２１】
図４はメディカルデータベース１０の構成を示す。メディカルデータベース１０は、患者コード項目１０ａと、日付を記憶する日付項目１０ｂと、患者の体重、血圧、体温、及び体脂肪率を記憶する体重項目１０ｃ、血圧項目１０ｄ、体温項目１０ｅ、及び体脂肪率項目１０ｆを、それぞれ関連付けて記憶する。宿泊施設に滞在中の患者は、毎日、自己の体重、血圧、体温、及び体脂肪率を計測し、計測したデータを宿泊施設用コンピュータ４からサーバ２へ送信する。これにより、メディカルデータベース１０は、患者についての体重、血圧、体温、及び体脂肪率を日付と関連付けて保持することができる。
【００２２】
次に、温泉療養サポートシステム１において、患者によって宿泊施設に対して滞在予約がなされる予約処理について説明する。図５は予約処理のフローを示す。患者用コンピュータ３は、キーボード３ａに入力された患者コード、宿泊施設コード、指導者コード、及び滞在日を予約データとしてサーバ２に送信する（Ｓ１０１）。ここで入力される宿泊施設コードは、患者が滞在を希望する宿泊施設に割り当てられたコードであり、指導者コードは、例えば、患者の主治医に割り当てられたコードである。また、滞在日とは、患者が宿泊施設に滞在を希望する期間である。ここで、患者は、自己の健康状態の改善に適すると思われる宿泊施設の宿泊施設コードを入力するものとする。
【００２３】
サーバ２は、受信した予約データに基づいて宿泊施設用予約データを作成して宿泊施設に送信する（Ｓ１０２）。ここで、宿泊施設用予約データとは、予約データに含まれる患者コードに関連付けられた性別、年齢、及び健康状態と、予約データに含まれる滞在日である。ここで、サーバ２は、ユーザデータベース８を参照し、患者テーブル８１から患者コードに基づいて性別、年齢、及び健康状態を抽出することにより、宿泊施設用予約データを作成する。サーバ２は、作成した宿泊施設用予約データを、予約データに含まれる宿泊施設コードが割り当てられた宿泊施設に送信する。宿泊施設用予約データは、患者の氏名や連絡先を含んでいないので、サーバ２は、患者個人を特定することなく宿泊施設に予約の可否を問うことができる。
【００２４】
宿泊施設用コンピュータ４は、受信した宿泊施設用予約データの内容に基づいて、滞在の可否を示す予約回答データをサーバ２に送信する（Ｓ１０３）。宿泊施設は、宿泊施設用予約データに含まれる滞在日だけでなく、患者の性別、年齢、及び健康状態を考慮して滞在の可否を決定することができる。サーバ２は、宿泊施設用コンピュータ４から滞在不可であることを示す予約回答データを受信すると、滞在不可であることを示す予約結果データを患者用コンピュータ３に送信する（Ｓ１０４）。一方、Ｓ１０３において、サーバ２は、宿泊施設用コンピュータ４から滞在可であることを示す予約回答データを受信すると、指導者用予約データを作成して指導者用コンピュータ６に送信する（Ｓ１０５）。ここで、指導者用予約データとは、予約データに含まれる患者コード、宿泊施設コード、及び滞在日である。
【００２５】
指導者用コンピュータ６は、指導者用予約データを受信したことに応じて、宿泊施設用コンピュータ４と映像データ及び音声データによる通信を行う通信日時を通信予定データとしてサーバ２に送信する（Ｓ１０６）。ここで、指導者用予約データに含まれる通信日時は、予約データに含まれる滞在日の期間内であって、指導者が宿泊施設に滞在している患者と映像データ及び音声データによる通信を行うことができる時間帯である。サーバ２は、指導者用コンピュータ６から通信予定データを受信すると、予約結果データを作成して患者用コンピュータ３に送信する（Ｓ１０７）。ここで、予約結果データとは、滞在可であることを示すデータと、通信予定データに含まれる通信日時である。このように、温泉療養サポートシステム１は、患者の氏名及び連絡先を宿泊施設に知らせることなく、滞在日に加えて、患者の性別、年齢、及び健康状態に基づいた宿泊施設の予約を行うことができる。また、宿泊施設の予約と同時に、宿泊施設用コンピュータ４と指導者用コンピュータ６とが映像データ及び音声データによる通信する通信日時を決定することができる。
【００２６】
次に、温泉療養サポートシステム１において、患者及び指導者が、宿泊施設用コンピュータ４及び指導者用コンピュータ６を用いて映像データ及び音声データによる通信を行う通信処理について説明する。図６は通信処理のフローを示す。ここで、患者は、自己の健康状態を改善させるために、例えば、湯治場に設けられた宿泊施設に滞在している。宿泊施設に滞在中の患者は、宿泊施設用コンピュータ４を用いて、毎日、自己の健康状態を示すデータをメディカルデータとしてサーバ２に送信する（Ｓ２０１）。ここで、メディカルデータとは、患者コード、日付、患者の体重、患者の血圧、患者の体温、及び患者の体脂肪率である。また、ここで、日付とは、患者の体重、血圧、体温、及び体脂肪率が計測された日付である。サーバ２は、メディカルデータを受信すると、患者コードと関連付けて、日付、体重、血圧、体温、及び体脂肪率をメディカルデータベース１０に記録する。
【００２７】
指導者用コンピュータ６は、指導者によってキーボード６ａに命令が入力されることに応じて、メディカルデータベース１０にアクセスする（Ｓ２０２）。これにより、指導者は、所定の患者についてのメディカルデータを参照することができる。宿泊施設用コンピュータ４及び指導者用コンピュータ６は、予約データベース９の通信日時項目９ｆに保持されている予定日時が到来すると、映像データ及び音声データからなる通信データを送受信することにより通信を開始する（Ｓ２０３）。このとき、宿泊施設用コンピュータ４は、患者によって操作され、カメラ４ｅ及びマイク４ｆを介して入力された映像データ及び音声データを指導者用コンピュータ６に送信する。指導者用コンピュータ６は、モニタ６ｂに映像データを表示し、スピーカ６ｇから音声データを出力する。
【００２８】
同様に、指導者用コンピュータ６は、指導者によって操作され、カメラ６ｅ及びマイク６ｆを介して入力された映像データ及び音声データを宿泊施設用コンピュータ４に送信する。宿泊施設用コンピュータ４は、モニタ４ｂに映像データを表示し、スピーカ４ｇから音声データを出力する。このように、患者及び指導者が映像データ及び音声データによる通信を行うことにより、温泉療養中の患者は指導者から健康指導を受けることができる。また、指導者は、患者のメディカルデータを参照し、映像データによる患者の表情又は音声データによる患者の肉声などを参考にすることにより、温泉療養中の患者に対して的確なアドバイスを与えることができる。
【００２９】
なお、本発明は、上記実施形態の構成に限られず、発明の趣旨を変更しない範囲で種々の変形が可能である。例えば、患者用コンピュータ３は、デスクトップパソコンやノートパソコンではなく、携帯電話であっても構わない。また、メディカルデータベース１０は、患者の体重、血圧、体温、及び体脂肪率に加えて、患者の血糖値を記憶する構成であっても構わない。また、宿泊施設用コンピュータ４及び指導者用コンピュータ６は、直接、映像データ及び音声データによる通信を行う構成ではなく、サーバ２によって映像データ及び音声データによる通信が制御される構成であっても構わない。さらに、宿泊施設用コンピュータ４及び指導者用コンピュータ６は、映像データ及び音声データを送受信することによって通信する構成ではなく、音声データのみを送受信することによって通信する構成であっても構わない。
【符号の説明】
【００３０】
１  温泉療養サポートシステム
２  サーバ
２ｅ  記憶部
３  患者用コンピュータ
３ａ  キーボード（患者用入力部）
４、５  宿泊施設用コンピュータ
４ａ、５ａ  キーボード（宿泊施設用入力部）
４ｂ、５ｂ  モニタ（宿泊施設用モニタ）
４ｅ、５ｅ  カメラ（宿泊施設用カメラ部）
４ｆ、５ｆ  マイク（宿泊施設用マイク部）
４ｇ、５ｇ  スピーカ（宿泊施設用スピーカ部）
６、７  指導者用コンピュータ
６ａ、７ａ  キーボード（指導者用入力部）
６ｂ、７ｂ  モニタ（指導者用モニタ）
６ｅ、７ｅ  カメラ（指導者用カメラ部）
６ｆ、７ｆ  マイク（指導者用マイク部）
６ｇ、７ｇ  スピーカ（指導者用スピーカ部）
８  ユーザデータベース
９  予約データベース
１０  メディカルデータベース
Ｎ  電気通信回線
【図１】
2011065209.tif 000003
【図５】
2011065209.tif 000004
【図６】
2011065209.tif 000005
【図２】
2011065209.tif 000006
【図３】
2011065209.tif 000007
【図４】
2011065209.tif 000008